(57)【特許請求の範囲】
【請求項１】
隣合って接する複数の面のうち、いずれか一方の面である取付面に面状発光体が取付けられる照明装置であって、
前記取付面に隣り合う他方の面との境界線を起点として、前記境界線から離れる方向に前記面状発光体が配置され、
前記面状発光体は、前記面状発光体における前記境界線に臨む基端部の輝度よりも、前記境界線から離れる先端部の輝度を低くするために、発光する光が透過して出射する出射面の少なくとも一部に、前記光を減光する減光層を有し、
前記減光層は、前記面状発光体の出射面での光の透過率が連続的に変化するように、前記出射面に塗装膜を塗布した照明装置。
【請求項２】
前記減光層は、前記境界線に近いほど膜厚が薄い塗装膜である請求項１に記載の照明装置。
【請求項３】
前記減光層は、前記境界線に近いほど透光性が高い壁紙である請求項１または請求項２に記載の照明装置。
【請求項４】
前記面状発光体は、前記境界線に臨む基端部側からのみ給電される請求項１に記載の照明装置。
【請求項５】
前記面状発光体は、複数のもので構成され、
前記各面状発光体は、前記境界を起点として前記境界から離れる方向に沿って隣接配置されているとともに、前記各面状発光体のうち、前記境界寄りに配置してあるものよりも前記境界から離れる側に配置してあるものの方が、輝度が低い請求項１に記載の照明装置。
【発明の詳細な説明】
【技術分野】
【０００１】
本発明は、面状発光体が取付けられた照明装置に係り、特に間接照明としての照明効果を得ることが可能な照明装置に関する。
【背景技術】
【０００２】
近年、面状発光体を用いた照明装置が提案されており、この面状発光体には、例えば有機ＥＬ（Electro Luminescence）素子や無機ＥＬ素子等を利用したものが知られている。この有機ＥＬ素子等を用いた照明装置には、例えば図８に示すように、照明用の光を発光する発光部１００と、この発光部１００に発光のための電力を供給する発光電源部１０１と、発光部１００からの光が出射する透光性基板１０２と、この透光性基板１０２とで形成する封止空間内に発光部１００と発光電源部１０１を封止する封止部材１０３等を備えたものが知られている。
また、発光部１００は、上下２層の電極１００Ａ，１００Ｂと、この電極１００Ａ，１００Ｂの間に配置されたＥＬ発光層１００Ｃとを備えた積層構造を有しており、透光性基板１０２の封止空間に臨む一面に積層されている。
【０００３】
また、このような照明装置にあっては、例えば天井面全域に亙り複数の面状発光体を配置した構成の透過式ルーフ照明装置も提案されている（例えば、特許文献１参照）。
【０００４】
ところで、ホテルのロビーや廊下あるいはレストラン等では、壁面等に白熱灯や蛍光灯等の光源を備える照明装置を設置するとともに、この照明装置から照射した照明光を天井面等で反射させることにより、天井面全域のうち壁面側の部分が最も明るく、かつ、壁面から離れるにつれて天井面の明るさが次第に暗くなるように構成した、いわゆる間接照明が多数使用されている。
【特許文献１】特開２００３−１９９２２号公報
【発明の開示】
【発明が解決しようとする課題】
【０００５】
ところが、この間接照明を取り入れるためには、例えば図９に示すように、天井１１０近くの壁面１１１に平らな棚１１２状あるいは略Ｌ字形の棚１１３等、照明器具１１４を隠して見えなくするための専用部材や追加工事が必要となるので、現場での設置作業を行う分だけコストや手間がかかる。
【０００６】
ところで、前述のような面発光体を用いた照明装置にあっては、装置自体の薄型化が容易でありすっきりとした形状のものが実現できるので見栄えもよく、インテリア性を高めることもできるとともに、簡単に設置可能であるので設置作業の簡略化も図ることができる。
しかしながら、このような照明装置の面状発光体は、通常、均一に発光する構成のものであるため、間接照明の演出効果を得ることが難しい。
【０００７】
本発明は、上記事情に鑑みてなされたもので、面状発光体を用いて、間接照明と同等の照明効果を得ることができる照明装置を提供することを目的とする。
【課題を解決するための手段】
【０００８】
本発明の照明装置は、隣合って接する複数の面のうち、いずれか一方の面である取付面に面状発光体が取付けられる照明装置であって、前記取付面に隣り合う他方の面との境界線を起点として、前記境界線から離れる方向に前記面状発光体が配置され、かつ、前記面状発光体における前記境界線に臨む基端部の輝度よりも、前記境界線から離れる先端部の輝度が低いものである。
【０００９】
また、本発明は、前記面状発光体が、発光する光が透過して出射する出射面の少なくとも一部に、前記光を減光する減光層を有するものである。
ここで、減光層としては、面状発光体から照射される光を減衰させる機能を有していればよく、減光の一態様として遮光を含むものである。
【００１０】
また、本発明は、前記減光層が、前記面状発光体の出射面での透過率が連続的に変化するものである。
【００１１】
また、本発明は、前記減光層が、前記境界線に近いほど膜厚が薄い塗装膜である。
【００１２】
また、本発明は、前記減光層が、前記境界線に近いほど透光性が高い壁紙である。
【００１３】
また、本発明は、前記面状発光体が、前記境界線に臨む基端部側からのみ給電されるものである。
【００１４】
本発明の照明装置は、前記面状発光体が、複数のもので構成され、前記各面状発光体は、前記境界を起点として前記境界から離れる方向に沿って隣接配置されているとともに、前記各面状発光体のうち、前記境界寄りに配置してあるものよりも前記境界から離れる側に配置してあるものの方が、輝度が低いものである。
【発明の効果】
【００１５】
本発明によれば、面状発光体を用いる照明であるが、間接照明と同等の照明効果が得られる照明装置を提供することができる。
【発明を実施するための最良の形態】
【００１６】
(第１実施形態)
以下、本発明の実施形態について、添付図面を参照しながら詳細に説明する。
図１及び図２は、本発明の第１実施形態に係る照明装置１を示すものであり、この照明装置１は、面状発光体２が天井面Ａの凹部に取付けられており、この天井面Ａに隣り合うように配置された隣接する壁面Ｂとの境界線Ｌを起点として、この境界線Ｌから離れるＸ方向に面状発光体２が配置されている。
【００１７】
面状発光体２は、照明用の光を発光する発光部２１と、この発光部２１に発光のための電力を供給する発光電源部２２と、発光部２１からの光が出射する透光性基板２３と、この透光性基板２３とで形成する空間（封止空間）内に発光部２１と発光電源部２２を封止する封止部材２４等を備えている。
【００１８】
また、発光部２１は、上下２層の電極２１１，２１２と、この電極２１１，２１２の間に配置されたＥＬ発光層２１３とを備えた積層構造を有しており、封止層２１４で封止された状態で、透光性基板２３の封止空間に臨む一面にこれらが積層されている。第１実施形態の発光部２１では、天井面に平行な面方向に形成した１対の電極２１１，２１２に対して、これらの全面に亙って均一な値の直流低電圧を印加させている。
これらの電極２１１，２１２のうち、後述する減光層２５を介して透光性基板２３に積層されている方の電極２１１は、ＥＬ発光層２１３からの光が透過するようにＩＴＯ(Indium Tin Oxide)膜を用いた透明電極で構成している。一方、他方の電極２１２は、適宜の金属電極で構成されている。
【００１９】
発光電源部２２は、図示外の配線コードその他の適宜手段によって商用電源から供給される交流電流は、整流されるとともに平滑されて直流低電圧として、発光部へ給電されるようになっており、図示しない整流部や平滑部等を備えている。
【００２０】
透光性基板２３は、発光部２１から発光する光が透過して出射する出射面を構成するため、透明又は半透明な材料で形成されており、この透光性基板２３の一面に光を減光(又は遮光)する減光層２５を設けている。
減光層２５は、面状発光体２における輝度が、境界線に臨む基端部よりも、境界線Ｌから離れる側の先端部の方が徐々に低くなるように減光させるためのものであり、本実施形態では、出射面に塗布した塗装膜２５１で構成してある。
【００２１】
塗装膜２５１は、発光部２１からの光を減光させるために適宜の塗装材料を塗布した構成のものである。この塗装膜２５１は、図３（Ａ）に示すように、壁面Ｂから離れるにつれて透光性が低く、換言すれば壁面Ｂに近付くにつれて透光性が高く構成されている。
このような構成は、例えば塗装材料の厚さを徐々に厚くしたり、透明度が異なる複数種類の塗装材料を段階的に塗布したり、あるいは光の透過率が段階的に異なるように塗布パターンを適宜選択することにより得られる。
このような構成により、同図(Ｂ)に示すように、膜厚ｔに反比例して光の透過率が減衰するようになっている。
なお、この減光層２５は、透光性基板２３の封止空間側の面に設けているが、外面側であってもよい。また、入射する光を減衰させる壁紙を透光性基板２３の外面側に設けてもよいが、その場合にも、壁面Ｂから離れるにつれてその厚さｔが徐々に厚くなるように構成してあればよい。
この場合も、厚みや透光性が異なる複数種類の壁紙を選択的に用いることができる。
【００２２】
従って、第１実施形態によれば、塗装膜２５１の膜厚ｔは、壁面Ｂとの境界線Ｌに臨む基端の方が薄くこれから離れる先端部の方が厚くなっている。このため、発光部２１から出射する光は、塗装膜２５１で減衰され、天井面Ａの幅方向(Ｘ方向)について、境界線Ｌ寄りの縁部から離れるに従って発光部２１の輝度が低下する。その結果、天井面のＸ方向について照度も徐々に低下させることができ、グラデーション照明が実現できる。
【００２３】
(第２実施形態)
次に、本発明の第２実施形態について、図４及び図５を参照しながら説明する。
なお、第２実施形態において、第１実施形態と同一部分には同一符号を付して重複説明を避ける。
第２実施形態の照明装置では、第１実施形態と異なり、透光性基板２３の封止空間側の面に積層されている面状発光体２の発光部２１は、これを構成する積層構造の上下２層の電極２１１，２１２と、この電極２１１，２１２の間に配置されたＥＬ発光層２１３とのうち、電極２１１，２１２が、境界線Ｌ寄りの基端部のみにて発光電源部２２と接続されており、所要の直流低電圧Ｖが印加されている。
また、第２実施形態では、第１実施形態のような塗装膜２５１は、透明基板２３に成膜していない。
【００２４】
発光部２１は、熱を殆ど発生させずに電気エネルギーを光エネルギーに変換させ、光を発生させているが、原理的には、正孔(ホール)と電子とをＥＬ発光層２１３で再結合させ、その後、励起状態から基底状態へ電子が遷移しながら落ち込むときに、蛍光現象を起こして光を発生させている。そこで、蛍光現象を連続的に起こさせるためには、正孔(ホール)と電子をＥＬ発光層２１３へ向けて常時連続的に注入させて供給させることが必要となるため、電極２１１，２１２間に所要の直流低電圧Ｖを印加させている。
【００２５】
ところが、第２実施形態では、図４に示すように、天井面ＡのＸ方向に亙って設置されている電極２１１，２１２に対して、境界線Ｌに臨む基端部にのみ所要の電圧Ｖ０を印加させるように構成している。この場合、電極２１１はＥＬ発光層２１３からの光が透過するようにＩＴＯ膜を用いた透明電極で構成するが、ＩＴＯ膜の電圧降下が大きいため、図５（Ａ）に示すように、基端部から離れるにつれて電極２１１，２１２間の印加電圧Ｖが徐々に降下し、その分、ＥＬ発光層２１３での蛍光現象の発生率も低下する。従って、ＥＬ発光層２１３での発光量も基端部から離れるにつれて徐々に減少するので、同図(Ｂ)に示すように、発光部２１での輝度、延いては天井面Ａでの照度も次第に低下させることができる。これにより、第２実施形態によれば、天井面のＸ方向についてグラデーション照明が実現できる。
【００２６】
(第３実施形態)
次に、本発明の第３実施形態について、図６及び図７を参照しながら説明する。なお、本実施形態において、第１、第２実施形態と同一部分には同一符号を付して重複説明を避ける。
第３実施形態の照明装置１では、図６に示すように、透光性基板２３の一面上で封止部材２４とで封止された空間（封止空間）内に、複数の発光部２１Ａ〜発光部２１Ｎが境界線Ｌから離れる方向に並設されており、同じく封止空間内に設けた発光電源部２２とそれぞれ独立させて設けている。
また、これらの発光部２１Ｂ〜２１Ｎには、発光電源部２２との間に、それぞれ、徐々に大きな抵抗値を有する電圧降下用の抵抗ｒＢ〜ｒＮを直列接続させている（但し、ｒＢ＜ｒＣ，ｒＣ＜ｒＤ，・・・，ｒＮ−１＜ｒＮ）。
【００２７】
従って、第３実施形態によれば、図７（Ａ）に示すように、境界線Ｌから離れる方向に並設されている発光部２１ほど、発光部２１に設けてある一対の電極２１１，２１２間に印加する電圧の降下値が大きくなる。従って、その分、各発光部２１のＥＬ発光層２１３での発光量も減衰するので、同図(Ｂ)に示すように、発光部２１Ａ〜発光部２１Ｎでの輝度、延いては天井面Ａでの照度も、境界線Ｌから離れるほど低下させることができる。これにより、天井面のＸ方向についてグラデーション照明が実現できる。
【００２８】
なお、本発明は上述した各実施形態に何ら限定されるものではなく、その要旨を逸脱しない範囲において種々の形態で実施し得るものである。即ち、これらの実施形態では、ＥＬ発光層に有機ＥＬを用いているが、無機ＥＬ等で構成してもよい。また、発光部の電極間には、直流低電圧に代えて交流を印加するような構成であってもよい。
さらに、発光電源部２２は封止空間外に設けても良い。
【産業上の利用可能性】
【００２９】
本発明の照明装置は、面状発光体を用いる照明であるが、間接照明と同等の照明効果を得ることができるので、インテリア性の高い間接照明の簡易な照明器具等として有用である。
【図面の簡単な説明】
【００３０】
【図１】本発明の第１実施形態に係る照明装置を設けた室内の照明状態を示す概略斜視図
【図２】その照明器具の構成を示す断面図
【図３】（Ａ）はその照明器具の減光層の厚さの状態を示すグラフ、（Ｂ）はその減光層の厚さに対応して照度が落ちていく状態を示すグラフ
【図４】本発明の第２実施形態に係る照明装置を示す断面図
【図５】（Ａ）はその照明装置の電極での電圧降下の状態を示すグラフ、（Ｂ）はその電圧降下に対応して照度が落ちていく状態を示すグラフ
【図６】（Ａ）は本発明の第３実施形態に係る照明装置を示す断面図、（Ｂ）はその照明装置の電気的な構成を示す等価回路
【図７】（Ａ）はその照明装置の各発光部に印加する電圧の値を示すグラフ、（Ｂ）はそれに応じて照度が落ちていく状態を示すグラフ
【図８】従来の面状発光体を取付けた照明器具を示す断面図
【図９】（Ａ）は従来の光源を用いた間接照明用の照明装置を示す断面図、（Ｂ）は従来の光源を用いた他の間接照明用の照明装置を示す断面図
【符号の説明】
【００３１】
１  照明装置
２  面状発光体
２１、２１Ａ〜２１Ｎ  発光部
２１１  電極（ＩＴＯ膜）
２１２  (金属)電極
２１３  ＥＬ発光層
２１４  封止層
２２  発光電源部
２３  透光性基板(出射面)
２４  封止部材
２５  減光層
２５１  塗装膜
Ａ  天井面（取付面）
Ｂ  壁面
Ｌ  境界線
ｒＢ〜ｒＮ  (電圧降下用)抵抗
【図１】
0004609343.tif 000002
【図２】
0004609343.tif 000003
【図３】
0004609343.tif 000004
【図４】
0004609343.tif 000005
【図５】
0004609343.tif 000006
【図６】
0004609343.tif 000007
【図７】
0004609343.tif 000008
【図８】
0004609343.tif 000009
【図９】
0004609343.tif 000010